(57)【要約】【課題】スライドシートに接続するワイヤハーネスの余長吸収ケースの内部にスライダ用のガイド穴から異物が混入するのを防止する。【解決手段】車両に搭載されるスライドシートに配索するワイヤハーネスを挿通する余長吸収ケースをフロア側に水平方向に設置し、該余長吸収ケースに設けるスライダ用のガイド穴に、ワイヤハーネスを挿通すると共に前記スライドシートに連動するスライダを摺動自在に搭載しているスライドシート用のワイヤハーネス配索装置において、前記余長吸収ケースは、直線状のレール部と、該レール部の一端に円弧形状のターン部を備えた形状であり、前記レール部の縦向きの周壁に前記スライダ用のガイド穴の開口を横向きに設け、前記スライダを縦向き筒部の下部に前記ガイド穴に嵌合する横向き筒部を連続した形状とし、前記スライダに前記ワイヤハーネスを貫通して前記余長吸収ケース内に前記ワイヤハーネスを挿通している。【選択図】図３
2017034857.tif 000002
【特許請求の範囲】
【請求項１】
車両に搭載されるスライドシートに配索するワイヤハーネスを挿通する余長吸収ケースをフロア側に水平方向に設置し、該余長吸収ケースに設けるスライダ用のガイド穴に、ワイヤハーネスを挿通すると共に前記スライドシートに連動するスライダを摺動自在に搭載しているスライドシート用のワイヤハーネス配索装置において、
前記余長吸収ケースは、直線状のレール部と、該レール部の一端に円弧形状のターン部を備えた形状であり、前記レール部の縦向きの周壁に前記スライダ用のガイド穴の開口を横向きに設け、
前記スライダを縦向き筒部の下部に前記ガイド穴に嵌合する横向き筒部を連続した形状とし、前記スライダに前記ワイヤハーネスを貫通して前記余長吸収ケース内に前記ワイヤハーネスを挿通していることを特徴とするスライドシート用のワイヤハーネス配索装置。
【請求項２】
前記余長吸収ケースは前記レール部の前端にターン部を連続し、前記レール部に設ける前記スライダ用のガイド穴の開口は、前記ターン部が幅方向に突出する側の内側に設け、かつ、前記ガイド穴の開口の上下両端に対向して突出部を設けている請求項１に記載のスライドシート用のワイヤハーネス配索装置。
【請求項３】
前記余長吸収ケースのターン部とレール部は別体のターン部材、レール部材として形成し、前記ターン部材は樹脂成形品とすると共に、前記レール部材はアルミ系金属、鉄系金属等からなる金属押出成形品とし、前記ターン部材の分断面に嵌合突起を設けると共に、前記レール部材に嵌合凹部を設け、前記レール部材とターン部材とを嵌合して組み付けて形成している請求項１または請求項２に記載のスライドシート用のワイヤハーネス配索装置。
【発明の詳細な説明】
【技術分野】
【０００１】
本発明はスライドシート用のワイヤハーネス配索装置に関し、特に、ワイヤハーネス挿通用のスライダがスライドシートの移動に連動可能とするために余長吸収ケースに設けられた開口からの異物混入を防止するものである。
【背景技術】
【０００２】
自動車のシートには電動リクライニング装置やシートヒータなど種々の電装品が装備されており、これらの電装品に給電するために、車体フロア側からシートに給電用のワイヤハーネスが配索されている。スライドシートの場合には、ワイヤハーネスをシートのスライド動作に追従させる必要があり、そのためワイヤハーネスに余長部を持たせて配索している。
【０００３】
この種のスライドシートへのワイヤハーネスの配索装置は、特開２０１０−１９３５９９号公報（特許文献１）、特開２０１４−１２１９３０号公報（特許文献２）等に記載されているように、ワイヤハーネスの電線余長部を収容する余長吸収ケースを設け、該余長吸収ケースをシートレールの側方のフロア下方に配置している場合が多い。該配索装置では、シートに配索するワイヤハーネスを挿通するスライダを余長吸収ケースに設けたスライダ用空間に摺動自在に搭載し、該スライダを通したワイヤハーネスを余長吸収ケース内でターンさせてフロア側へ引き出している。
【０００４】
前記特許文献２等で開示されているスライドシートへのワイヤハーネスの配索装置では、具体的には、図８（Ａ）（Ｂ）に示すように、フロア側に水平配置される大略Ｊ形状の余長吸収ケース１００の中央から後端に延在する直線部１００ａの上面にスライダ１１０がシートの前後移動に連動して移動できるガイド穴１２０を設けている。該ガイド穴１２０は余長吸収ケース１００の浅底の本体１００ｘにかぶせる蓋１００ｙに貫通して設けている。前記スライダ１１０にワイヤハーネス１５０を貫通させ、スライダ１１０の上端から引き出すワイヤハーネス１５０をシート側へ配索してシートハーネスと接続する一方、ガイド穴１２０を通して余長吸収ケース１００内に突出するスライダ１１０の下部から引き出すワイヤハーネス１５０を余長吸収ケース１００の前部円弧部１００ｂ内に挿通して円弧状にターンさせ、開口１００ｃから引き出してフロアハーネスと接続している。
また、図９に示すように、Ｊ形状の余長吸収ケース１００の直線部１００ａから前部円弧部１００ｂの直線部にかけて、連続的にガイド穴１２０を設けている場合もある。
【先行技術文献】
【特許文献】
【０００５】
【特許文献１】特開２０１０−１９３５９９号公報
【特許文献２】特開２０１４−１２１９３０号公報
【発明の概要】
【発明が解決しようとする課題】
【０００６】
前記のように、従来の余長吸収ケース１００には、シートの前後移動に応じてスライダ１１０を連動させるために、上面に開口したガイド穴１２０を設けている。よって、この上面に開口したガイド穴１２０を通して余長吸収ケース１００内に粉塵、小石、釘等の異物が混入する恐れがある。特に、シートの前後移動距離が４００ｍｍ〜１２００ｍｍと長くなるロングスライドシートでは、スライダの移動距離が長くなるためガイド穴１２０の長さも大となり、異物混入がより発生しやすい状況となる。
このように余長吸収ケース内に異物が混入すると、スライダ１１０の動作が阻害され、スライダが動かなくなれば、ワイヤハーネスの断線に至る恐れもある。
【０００７】
本発明は前記問題を解消せんとするもので、余長吸収ケースの上面に開口するスライダ用のガイド穴から異物が混入しないようにすることを課題としている。
【課題を解決するための手段】
【０００８】
前記課題を解決するため、本発明は、車両に搭載されるスライドシートに配索するワイヤハーネスを挿通する余長吸収ケースをフロア側に水平方向に設置し、該余長吸収ケースに設けるスライダ用のガイド穴に、ワイヤハーネスを挿通すると共に前記スライドシートに連動するスライダを摺動自在に搭載しているスライドシート用のワイヤハーネス配索装置において、
前記余長吸収ケースは、直線状のレール部と、該レール部の一端に連続する円弧形状のターン部を備えた形状であり、前記レール部の縦向きの周壁に前記スライダ用のガイド穴の開口を横向きに設け、
前記スライダを縦向き筒部の下部に前記ガイド穴に嵌合する横向き筒部を連続した形状とし、前記スライダに前記ワイヤハーネスを貫通して前記余長吸収ケース内に前記ワイヤハーネスを挿通していることを特徴とするスライドシート用のワイヤハーネス配索装置を提供している。
【０００９】
前記のように、フロア側に水平配置する余長吸収ケースに、上面開口のスライダ用のガイド穴を設けず、垂直方向の周壁側面にガイド穴の開口を設けているため、上方から自重落下する異物がガイド穴を通して余長吸収ケース内に混入するのを防止できる。よって、粉塵、小石、釘等の異物によりスライダが移動しにくくなり、さらには、異物が電線と擦れて傷つけ、断線が発生するのを防止することができる。
【００１０】
前記余長吸収ケースは前記レール部の前端にターン部を連続させ、前記レール部に設ける前記スライダ用のガイド穴の開口は、前記ターン部が幅方向に突出する側の内側に設け、かつ、前記ガイド穴の開口の上下両端に対向して突出する突出部を設けていることが好ましい。  
ガイド穴の開口上端の突出部は下向きに突出するとともに、開口下端の突出部は上向きに突出する。前記開口上端の下向きの突出部は上方からの異物混入をより確実に防止できると共に、該ガイド穴の開口下端の上向きの突出部は、底面側からの異物混入をより確実に防止できる。
【００１１】
前記のように、余長吸収ケースのレール部に設けるスライダ用のガイド穴は、該レール部に対して前記ターン部が幅方向に突出する内面側に設けることが好ましい。
これは、内面側にガイド穴を設け、スライダを内面側に添わせて移動させると、外部干渉材と干渉せず、かつ、余長吸収ケースとスライダとの幅方向の必要スペースを増加させない利点があることに因る。なお、必ずしもレール部の内面側に設ける必要はなく、反対側の外側面に設けてもよい。
【００１２】
前記余長吸収ケースのターン部とレール部は別体のターン部材、レール部材として形成し、前記ターン部材は樹脂成形品とすると共に、前記レール部材はアルミ系金属、鉄系金属等の金属押出成形品とし、前記ターン部材の分断面に嵌合突起を設けると共に、前記レール部材に嵌合凹部を設け、前記レール部材とターン部材とを嵌合して組み付けてもよい。なお、レール部とターン部とを樹脂で一体成形しても良い。  
前記のように、レール部材を金属押出成形品とすると、剛性を高めて、床上からの乗員による耐足踏強度を向上させることができる。その結果、レール部材のガイド穴が足踏まれにより潰れて、開口面積が減少してスライダが移動しにくくなることを防止できる。
【００１３】
スライドシートのシート下部に突設する車軸で保持した車輪を摺動自在に嵌合するシートレールの側方に前記余長吸収ケースを平行設置している。
前記スライドシートと連動して摺動する前記スライダから引き出したワイヤハーネスをスライドシートの車軸またはシートで支持して、シート内に配索するシートハーネスとコネクタ接続している。
または、前記シートハーネスをシート下部に引き出し、前記スライダを通して前記余長吸収ケース内を迂回させた後にフロア側へ引き出し、フロアハーネスとコネクタ接続している。
【００１４】
スライドシートの移動に連動するスライダを通して余長吸収ケースを挿通するワイヤハーネスは、スライドシートの前後移動時に前記余長吸収ケース内のターン部での迂回量を調節してワイヤハーネスの余長吸収を行っている。
【発明の効果】
【００１５】
前記のように、本発明では、スライドシートと連動するスライダが摺動自在に嵌合するガイド穴を、水平配置する余長吸収ケースの垂直方向の周壁側面に開口して設けているため、該ガイド穴に上方から自重で異物が混入するのを防止できる。よって、スライダのスムーズな移動を保証でき、該スライダを貫通するワイヤハーネスの損傷および断線の発生を確実に防止することができる。
【図面の簡単な説明】
【００１６】
【図１】本発明の第１実施形態を示し、ワイヤハーネスを配索するスライドシートの斜視図である。
【図２】図１のＩＩ−ＩＩ線断面図である。
【図３】余長吸収ケースの斜視図である。
【図４】前記余長吸収ケースの分解斜視図である。
【図５】（Ａ）は前記余長吸収ケースの要部拡大斜視図、（Ｂ）は前記余長吸収ケースのターン部材の右側面図、（Ｃ）はレール部材の左側面図である。
【図６】前記レール部材にスライダを嵌合した状態を示す側面図である。
【図７】第２実施形態を示し、（Ａ）は余長吸収ケースの斜視図、（Ｂ）は余長吸収ケースの分解斜視図、（Ｃ）は（Ａ）のＣ−Ｃ断面図である。
【図８】従来例を示し、（Ａ）は余長吸収ケースの斜視図、（Ｂ）は（Ａ）の要部平面図である。
【図９】他の従来例を示す概略斜視図である。
【発明を実施するための形態】
【００１７】
以下、本発明の実施形態を図面を参照して説明する。
図１乃至図６に本発明の第１実施形態を示す。
図１に示す自動車に搭載するスライドシート１に装着した電装品（図示せず）に給電するために、フロアパネル７０に沿って配索するフロアハーネスから分岐したシート給電用のワイヤハーネス２を車室床材（モール）７１の下面に配置した余長吸収ケース１０に通して、スライドシート１へと配索し、スライドシート１の座部１ａの内部に配線しているシートハーネス７２と座部下面でコネクタＣ１とＣ２とで接続している。
【００１８】
前記余長吸収ケース１０は、図２に示すように、スライドシート１の下面から突設する車軸６ａに支持した車輪６ｂを摺動自在に嵌合するシートレール７と平行に配置して、前記車室床材７１の下面に設置している。
【００１９】
余長吸収ケース１０は図３に示すように全体形状を略Ｊ字形状とし、直線状のレール部材１５と該レール部材１５の前端に連続すると共に先端を円弧状としているターン部材１６をＪ字状に連結して、水平配置している。レール部材１５はアルミ系金属を連続押出成形して形成し、ターン部材１６は樹脂で射出成形している。前記アルミ系金属に変えて、鉄系金属でも良い。
【００２０】
前記ターン部材１６はレール部材１５の前端に結合する外側直線部１６ａと、該外側直線部１６ａに連続する前端円弧部１６ｂと、該前端円弧部１６ｂに連続して後方へ延在する内側直線部１６ｃとからなり、該内側直線部１６ｃの先端に電線出入口１６ｄを設けている。
【００２１】
前記ターン部材１６は底壁と周壁からなる浅底の本体１１と、本体１１の上面開口を閉鎖する蓋１２とからなる。蓋１２は上壁と周壁とから構成し、上壁は厚肉とすると共に、多数の凹部１２ａをドット状に設けたハニカム形状とし、足踏まれ時の剛性を高めている。本体１１と蓋１２の周壁にはロック結合するロック手段を設けている。
【００２２】
図５（Ａ）に示すように、ターン部材１６の外側直線部１６ａの後端１６ｅは、本体１１の底壁と周壁と蓋１２の上壁と周壁で囲まれた電線挿通空間１８が開口した枠形状としている。該後端１６ｅを構成する本体１１の後端面の幅方向の下部両側隅に棒状の嵌合突起１６ｇを突設すると共に、蓋１２側の端面の幅方向の上部両側隅に棒状の嵌合突起１６ｉを突設している。なお、棒状の嵌合突起に変えて、別体のピンを設け、該ピンを圧入またはネジ込みで固定して突設してもよい。
【００２３】
図４および図５（Ａ）に示すように、アルミ系金属を連続押出成形した前記レール部材１５は上壁１５ａ、下壁１５ｂ、上下壁１５ａと１５ｂの外側端を連続する外側壁１５ｃを備え、該上下壁１５ａ、１５ｂと外側壁１５ｃで囲まれた空間をスライダ移動用のガイド穴８とし、内側壁にガイド穴８に連通する横向きの開口８ｓを設けている。前記ガイド穴８はレール部材１５の前後長さ方向の全長に設けている。かつ、ガイド穴８の開口８ｓに向けて上壁１５ａより下向きの突出部１５ｅを設けると共に、下壁１５ｂから上向きの突出部１５ｆを設け、ガイド穴８内に開口８ｓから異物がより混入しにくくしている。さらに、上壁１５ａより突設する前記突出部１５ｅを下方の突出部１５ｆより幅広として傘の役割を持たせ、上からゴミが入りにくくしている。
さらに、図５（Ｃ）に示すように、上壁１５ａの幅方向両側の隅部に前記嵌合突起１６ｉを嵌合する嵌合凹部１５ｉを設けると共に、下壁１５ｂの幅方向両側の隅部に前記嵌合突起１６ｇを嵌合する嵌合凹部１５ｇを設けている。
【００２４】
レール部材１５の後端面にも、前端面と同様に、閉鎖蓋２８に設ける棒状の嵌合突起２８ａを嵌合する嵌合凹部（図示せず）を四隅に設けている。該嵌合凹部に嵌合突起２８ａを嵌合して、レール部材１５の後端に開口するガイド穴８を閉鎖蓋２８で閉鎖している。
【００２５】
前記横向きのガイド穴８に、ワイヤハーネス２を貫通するスライダ２０を摺動自在に嵌合している。スライダ２０は図４および図６に示すように、縦向き筒部２０ａの下部にガイド穴８に嵌合する横向き筒部２０ｂを連続した形状としている。かつ、縦向き筒部２０ａの下端に側方から窪ませて細幅凹部とした挟持部２０ｃを設け、該挟持部２０ｃを上壁１５ａに摺動自在に組みつけて、スライダ２０を余長吸収ケース１０に安定して摺動できるように取り付けている。
【００２６】
図４に示すように、スライダ２０の横向き筒部２０ｂはガイド穴８内に後端開口から挿入して、摺動自在に嵌合していると共に、該横向き筒部２０ｂと挟持部２０ｃとの連結部に細幅部２０ｄを設け、該細幅部２０ｄをガイド穴８の開口８ｓの上下端の突出部１５ｅ、１５ｆの間に通している。
【００２７】
該スライダ２０の縦向き筒部２０ａの上端開口と横向き筒部２０ｂの前端開口をワイヤハーネス２の出入口２０ｈ、２０ｉとし、中空部のハーネス挿通路にワイヤハーネスを貫通している。該ワイヤハーネス２は余長吸収ケース１０内に挿通するワイヤハーネス２を出入口２０ｉから挿入して上端開口の出入口２０ｈからスライドシート１の下方に引き出し、前記のように、シートハーネス７２と接続している。
【００２８】
本実施形態では、余長吸収ケース１０内に挿通し、スライダ２０の出入口２０ｉに達するまでのワイヤハーネス２をコルゲートチューブ９で外装している。なお、前記特許文献２に記載のキャタピラ型のプロテクタで外装してもよい。
【００２９】
前記構成としたスライドシート用のワイヤハーネス配索装置では、スライドシート１と連動するスライダ２０が摺動自在に嵌合する余長吸収ケース１０のガイド穴８の開口８ｓを、水平配置する余長吸収ケース１０の垂直方向の周壁側面に開口して設けているため、該ガイド穴８の開口８ｓに上方から自重で異物が混入するのを防止することができる。よって、スライダ２０のスムーズな移動および該スライダ２０を貫通するワイヤハーネス２の移動を保証でき、ワイヤハーネスの破損および断線の発生を確実に防止することができる。
かつ、細長いレール部材１５をアルミ系金属や鉄系金属等の硬い金属で形成するため、乗員の足踏みに対して耐久性を高めることができる。
【００３０】
図７（Ａ）〜（Ｃ）に第２実施形態を示す。
第２実施形態では、レール部材とターン部材を樹脂で一体成形した本体１１Ｂと蓋１２Ｂとより余長吸収ケース１０Ｂを構成している。
本体１１Ｂのレール部材の内側壁１１Ｂ−ｉに上端から横向きに開口するスライダ用のガイド穴８Ｂを設けている。
他の構成および作用は第１実施形態と同様であるため、説明を省略する。
【００３１】
本発明は前記実施形態に限定されず、例えば、レール部材の後端にターン部材を別体として連結してもよいし、一体成形してもよい。
また、シートハーネスを下方に延在させてスライダを通して余長吸収ケースに通してフロア側へ引き出し、フロアハーネスとコネクタ接続してもよい。
【符号の説明】
【００３２】
１  スライドシート
２  ワイヤハーネス
８  スライダ用のガイド穴
８ｓ  開口
１０  余長吸収ケース
１１  本体
１２  蓋
１５  レール部材
１６  ターン部材
２０  スライダ
【図１】
2017034857.tif 000003
【図２】
2017034857.tif 000004
【図３】
2017034857.tif 000005
【図４】
2017034857.tif 000006
【図５】
2017034857.tif 000007
【図６】
2017034857.tif 000008
【図７】
2017034857.tif 000009
【図８】
2017034857.tif 000010
【図９】
2017034857.tif 000011